【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
車両の室内に設けられるディスプレイ（２０，３０）に表示を行わせる車両用制御装置であって、
前記ディスプレイに表示する表示要素をそれぞれ生成する複数のオペレーティングシステム（１０３，１０３ａ，１０４）を並列に動作させることが可能な物理プロセッサ（１０１）と、
前記オペレーティングシステムによって生成される前記表示要素を前記ディスプレイに出力することで前記表示要素を前記ディスプレイに表示させる出力部（１２０，１３０）とを備え、
前記車両用制御装置の起動時に、複数の前記オペレーティングシステムのうち、前記起動時にさきがけて表示すべき前記表示要素である先行表示要素を生成する前記オペレーティングシステムであって、且つ、安全安心機能に関するアプリケーションを実行するオペレーティングシステムである第１オペレーティングシステム（１０３，１０３ａ）を、他方の前記オペレーティングシステムであって、且つ、安全性及び安心性以外の利便性及び快適性に関する機能であるインフォテインメント機能に関するアプリケーションを実行するオペレーティングシステムである第２オペレーティングシステム（１０４）よりも先に起動開始させる車両用制御装置。
【請求項２】
前記出力部は、前記先行表示要素の表示が終了した後、前記第２オペレーティングシステムが生成する前記表示要素からなる表示コンテンツである次コンテンツ画像の表示が開始される前に、前記第１オペレーティングシステムが生成する、前記次コンテンツ画像のうちの一部である一部表示要素を表示させておく請求項１に記載の車両用制御装置。
【請求項３】
前記出力部は、前記先行表示要素の表示が終了した後から、前記次コンテンツ画像の表示が開始されるまで、前記第１オペレーティングシステムが生成する前記一部表示要素を表示させておく請求項２に記載の車両用制御装置。
【請求項４】
前記出力部は、前記先行表示要素の表示が終了した後、前記第２オペレーティングシステムが生成する前記表示要素である第２側要素を含んでなる表示コンテンツである次コンテンツ画像の表示が開始される前に、前記第１オペレーティングシステムが生成する、前記次コンテンツ画像のうちの前記第２側要素を除く一部である一部表示要素を表示させておく請求項１に記載の車両用制御装置。
【請求項５】
前記出力部は、前記先行表示要素の表示が終了した後から、前記第１オペレーティングシステムが生成する前記一部表示要素を表示させておき、前記第２オペレーティングシステムが生成する前記第２側要素の表示が開始される場合には、この第２側要素とともにこの一部表示要素を表示させることで前記次コンテンツ画像を表示させる請求項４に記載の車両用制御装置。
【請求項６】
車両の室内に設けられるディスプレイ（２０，３０）に表示を行わせる車両用制御装置であって、
前記ディスプレイに表示する表示要素をそれぞれ生成する複数のオペレーティングシステム（１０３，１０３ａ，１０４）を並列に動作させることが可能な物理プロセッサ（１０１）と、
前記オペレーティングシステムによって生成される前記表示要素を前記ディスプレイに出力することで前記表示要素を前記ディスプレイに表示させる出力部（１２０，１３０）とを備え、
前記車両用制御装置の起動時に、複数の前記オペレーティングシステムのうち、前記起動時にさきがけて表示すべき前記表示要素である先行表示要素を生成する前記オペレーティングシステムである第１オペレーティングシステム（１０３，１０３ａ）を、他方の前記オペレーティングシステムである第２オペレーティングシステム（１０４）よりも先に起動開始させ、
前記出力部は、前記先行表示要素の表示が終了した後、前記第２オペレーティングシステムが生成する前記表示要素からなる表示コンテンツである次コンテンツ画像の表示が開始される前に、前記第１オペレーティングシステムが生成する、前記次コンテンツ画像のうちの一部である一部表示要素を表示させておく車両用制御装置。
【請求項７】
前記出力部は、前記先行表示要素の表示が終了した後から、前記次コンテンツ画像の表示が開始されるまで、前記第１オペレーティングシステムが生成する前記一部表示要素を表示させておく請求項６に記載の車両用制御装置。
【請求項８】
車両の室内に設けられるディスプレイ（２０，３０）に表示を行わせる車両用制御装置であって、
前記ディスプレイに表示する表示要素をそれぞれ生成する複数のオペレーティングシステム（１０３，１０３ａ，１０４）を並列に動作させることが可能な物理プロセッサ（１０１）と、
前記オペレーティングシステムによって生成される前記表示要素を前記ディスプレイに出力することで前記表示要素を前記ディスプレイに表示させる出力部（１２０，１３０）とを備え、
前記車両用制御装置の起動時に、複数の前記オペレーティングシステムのうち、前記起動時にさきがけて表示すべき前記表示要素である先行表示要素を生成する前記オペレーティングシステムである第１オペレーティングシステム（１０３，１０３ａ）を、他方の前記オペレーティングシステムである第２オペレーティングシステム（１０４）よりも先に起動開始させ、
前記出力部は、前記先行表示要素の表示が終了した後、前記第２オペレーティングシステムが生成する前記表示要素である第２側要素を含んでなる表示コンテンツである次コンテンツ画像の表示が開始される前に、前記第１オペレーティングシステムが生成する、前記次コンテンツ画像のうちの前記第２側要素を除く一部である一部表示要素を表示させておく車両用制御装置。
【請求項９】
前記出力部は、前記先行表示要素の表示が終了した後から、前記第１オペレーティングシステムが生成する前記一部表示要素を表示させておき、前記第２オペレーティングシステムが生成する前記第２側要素の表示が開始される場合には、この第２側要素とともにこの一部表示要素を表示させることで前記次コンテンツ画像を表示させる請求項８に記載の車両用制御装置。
【請求項１０】
前記第２オペレーティングシステムは、前記車両においてユーザが受けるサービスに関するアプリケーションを実行するものであって、
前記先行表示要素には、前記アプリケーションがユーザから操作を受け付けるための表示要素を含まない一方、前記次コンテンツ画像には、前記アプリケーションがユーザから操作を受け付けるための表示要素を含む請求項２〜９のいずれか１項に記載の車両用制御装置。
【請求項１１】
前記物理プロセッサは、仮想化技術によって仮想化ソフトウェア（１０２，１０２ａ）上で複数の前記オペレーティングシステムを並列に動作させることが可能な請求項１〜１０のいずれか１項に記載の車両用制御装置。
【請求項１２】
複数の前記オペレーティングシステムのうち、一部の前記オペレーティングシステムは、前記仮想化ソフトウェア（１０２）と共通のカーネルを用いるものであって、
前記第１オペレーティングシステム（１０３）を、前記仮想化ソフトウェアと共通のカーネルを用いる前記オペレーティングシステムとすることで、前記車両用制御装置の起動時に、前記第１オペレーティングシステムを前記第２オペレーティングシステムよりも先に起動開始させる請求項１１に記載の車両用制御装置。
【請求項１３】
前記物理プロセッサに含まれる１又は複数の物理プロセッサコアは、前記仮想化技術によって仮想プロセッサコアに抽象化されるものであり、
前記仮想化ソフトウェア（１０２ａ）が、前記第１オペレーティングシステム（１０３ａ）に割り当てる前記仮想プロセッサコアの量を前記第２オペレーティングシステムよりも多くすることで、前記車両用制御装置の起動時に、前記第１オペレーティングシステムを前記第２オペレーティングシステムよりも先に起動開始させる請求項１１に記載の車両用制御装置。
【請求項１４】
前記車両用制御装置の起動時に、前記第１オペレーティングシステムの起動状態が所定段階に達するまでは、前記第２オペレーティングシステムの起動を開始させないようにする請求項１１〜１３のいずれか１項に記載の車両用制御装置。
【請求項１５】
車両の室内に設けられるディスプレイ（２０，３０）と、
前記ディスプレイに表示を行わせる、請求項１〜１４のいずれか１項に記載の車両用制御装置（１０）とを含む車両用表示システム。
【請求項１６】
車両の室内に設けられるディスプレイ（２０，３０）に車両用制御装置によって表示を行わせる車両用表示制御方法であって、
前記車両用制御装置の起動時に、前記ディスプレイに表示する表示要素をそれぞれ生成する複数のオペレーティングシステム（１０３，１０３ａ，１０４）を並列に動作させることが可能な物理プロセッサ（１０１）で動作させる複数の前記オペレーティングシステムのうち、前記起動時にさきがけて表示すべき前記表示要素である先行表示要素を生成する前記オペレーティングシステムであって、且つ、安全安心機能に関するアプリケーションを実行するオペレーティングシステムである第１オペレーティングシステム（１０３，１０３ａ）を、他方の前記オペレーティングシステムであって、且つ、安全性及び安心性以外の利便性及び快適性に関する機能であるインフォテインメント機能に関するアプリケーションを実行するオペレーティングシステムである第２オペレーティングシステム（１０４）よりも先に起動開始させる車両用表示制御方法。
【請求項１７】
車両の室内に設けられるディスプレイ（２０，３０）に車両用制御装置によって表示を行わせる車両用表示制御方法であって、
前記車両用制御装置の起動時に、前記ディスプレイに表示する表示要素をそれぞれ生成する複数のオペレーティングシステム（１０３，１０３ａ，１０４）を並列に動作させることが可能な物理プロセッサ（１０１）で動作させる複数の前記オペレーティングシステムのうち、前記起動時にさきがけて表示すべき前記表示要素である先行表示要素を生成する前記オペレーティングシステムである第１オペレーティングシステム（１０３，１０３ａ）を、他方の前記オペレーティングシステムである第２オペレーティングシステム（１０４）よりも先に起動開始させ、
前記先行表示要素の表示が終了した後、前記第２オペレーティングシステムが生成する前記表示要素からなる表示コンテンツである次コンテンツ画像の表示が開始される前に、前記第１オペレーティングシステムが生成する、前記次コンテンツ画像のうちの一部である一部表示要素を表示させておく車両用表示制御方法。
【請求項１８】
車両の室内に設けられるディスプレイ（２０，３０）に車両用制御装置によって表示を行わせる車両用表示制御方法であって、
前記車両用制御装置の起動時に、前記ディスプレイに表示する表示要素をそれぞれ生成する複数のオペレーティングシステム（１０３，１０３ａ，１０４）を並列に動作させることが可能な物理プロセッサ（１０１）で動作させる複数の前記オペレーティングシステムのうち、前記起動時にさきがけて表示すべき前記表示要素である先行表示要素を生成する前記オペレーティングシステムである第１オペレーティングシステム（１０３，１０３ａ）を、他方の前記オペレーティングシステムである第２オペレーティングシステム（１０４）よりも先に起動開始させ、
前記先行表示要素の表示が終了した後、前記第２オペレーティングシステムが生成する前記表示要素である第２側要素を含んでなる表示コンテンツである次コンテンツ画像の表示が開始される前に、前記第１オペレーティングシステムが生成する、前記次コンテンツ画像のうちの前記第２側要素を除く一部である一部表示要素を表示させておく車両用表示制御方法。
【手続補正２】
【補正対象書類名】明細書
【補正対象項目名】０００９
【補正方法】変更
【補正の内容】
【０００９】
上記目的を達成するために、本開示の第１の車両用制御装置は、車両の室内に設けられるディスプレイ（２０，３０）に表示を行わせる車両用制御装置であって、ディスプレイに表示する表示要素をそれぞれ生成する複数のオペレーティングシステム（１０３，１０３ａ，１０４）を並列に動作させることが可能な物理プロセッサ（１０１）と、オペレーティングシステムによって生成される表示要素をディスプレイに出力することで表示要素をディスプレイに表示させる出力部（１２０，１３０）とを備え、車両用制御装置の起動時に、複数のオペレーティングシステムのうち、起動時にさきがけて表示すべき表示要素である先行表示要素を生成するオペレーティングシステムであって、且つ、安全安心機能に関するアプリケーションを実行するオペレーティングシステムである第１オペレーティングシステム（１０３，１０３ａ）を、他方のオペレーティングシステムであって、且つ、安全性及び安心性以外の利便性及び快適性に関する機能であるインフォテインメント機能に関するアプリケーションを実行するオペレーティングシステムである第２オペレーティングシステム（１０４）よりも先に起動開始させる。
上記目的を達成するために、本開示の第２の車両用制御装置は、車両の室内に設けられるディスプレイ（２０，３０）に表示を行わせる車両用制御装置であって、ディスプレイに表示する表示要素をそれぞれ生成する複数のオペレーティングシステム（１０３，１０３ａ，１０４）を並列に動作させることが可能な物理プロセッサ（１０１）と、オペレーティングシステムによって生成される表示要素をディスプレイに出力することで表示要素をディスプレイに表示させる出力部（１２０，１３０）とを備え、車両用制御装置の起動時に、複数のオペレーティングシステムのうち、起動時にさきがけて表示すべき表示要素である先行表示要素を生成するオペレーティングシステムである第１オペレーティングシステム（１０３，１０３ａ）を、他方のオペレーティングシステムである第２オペレーティングシステム（１０４）よりも先に起動開始させ、出力部は、先行表示要素の表示が終了した後、第２オペレーティングシステムが生成する表示要素からなる表示コンテンツである次コンテンツ画像の表示が開始される前に、第１オペレーティングシステムが生成する、次コンテンツ画像のうちの一部である一部表示要素を表示させておく。
上記目的を達成するために、本開示の第３の車両用制御装置は、車両の室内に設けられるディスプレイ（２０，３０）に表示を行わせる車両用制御装置であって、ディスプレイに表示する表示要素をそれぞれ生成する複数のオペレーティングシステム（１０３，１０３ａ，１０４）を並列に動作させることが可能な物理プロセッサ（１０１）と、オペレーティングシステムによって生成される表示要素をディスプレイに出力することで表示要素をディスプレイに表示させる出力部（１２０，１３０）とを備え、車両用制御装置の起動時に、複数のオペレーティングシステムのうち、起動時にさきがけて表示すべき表示要素である先行表示要素を生成するオペレーティングシステムである第１オペレーティングシステム（１０３，１０３ａ）を、他方のオペレーティングシステムである第２オペレーティングシステム（１０４）よりも先に起動開始させ、出力部は、先行表示要素の表示が終了した後、第２オペレーティングシステムが生成する表示要素である第２側要素を含んでなる表示コンテンツである次コンテンツ画像の表示が開始される前に、第１オペレーティングシステムが生成する、次コンテンツ画像のうちの第２側要素を除く一部である一部表示要素を表示させておく。
【手続補正３】
【補正対象書類名】明細書
【補正対象項目名】００１０
【補正方法】変更
【補正の内容】
【００１０】
また、上記目的を達成するために、本開示の第１の車両用表示制御方法は、車両の室内に設けられるディスプレイ（２０，３０）に車両用制御装置によって表示を行わせる車両用表示制御方法であって、車両用制御装置の起動時に、ディスプレイに表示する表示要素をそれぞれ生成する複数のオペレーティングシステム（１０３，１０３ａ，１０４）を並列に動作させることが可能な物理プロセッサ（１０１）で動作させる複数のオペレーティングシステムのうち、起動時にさきがけて表示すべき表示要素である先行表示要素を生成するオペレーティングシステムであって、且つ、安全安心機能に関するアプリケーションを実行するオペレーティングシステムである第１オペレーティングシステム（１０３，１０３ａ）を、他方のオペレーティングシステムであって、且つ、安全性及び安心性以外の利便性及び快適性に関する機能であるインフォテインメント機能に関するアプリケーションを実行するオペレーティングシステムである第２オペレーティングシステム（１０４）よりも先に起動開始させる。
また、上記目的を達成するために、本開示の第２の車両用表示制御方法は、車両の室内に設けられるディスプレイ（２０，３０）に車両用制御装置によって表示を行わせる車両用表示制御方法であって、車両用制御装置の起動時に、ディスプレイに表示する表示要素をそれぞれ生成する複数のオペレーティングシステム（１０３，１０３ａ，１０４）を並列に動作させることが可能な物理プロセッサ（１０１）で動作させる複数のオペレーティングシステムのうち、起動時にさきがけて表示すべき表示要素である先行表示要素を生成するオペレーティングシステムである第１オペレーティングシステム（１０３，１０３ａ）を、他方のオペレーティングシステムである第２オペレーティングシステム（１０４）よりも先に起動開始させ、先行表示要素の表示が終了した後、第２オペレーティングシステムが生成する表示要素からなる表示コンテンツである次コンテンツ画像の表示が開始される前に、第１オペレーティングシステムが生成する、次コンテンツ画像のうちの一部である一部表示要素を表示させておく。
また、上記目的を達成するために、本開示の第３の車両用表示制御方法は、車両の室内に設けられるディスプレイ（２０，３０）に車両用制御装置によって表示を行わせる車両用表示制御方法であって、車両用制御装置の起動時に、ディスプレイに表示する表示要素をそれぞれ生成する複数のオペレーティングシステム（１０３，１０３ａ，１０４）を並列に動作させることが可能な物理プロセッサ（１０１）で動作させる複数のオペレーティングシステムのうち、起動時にさきがけて表示すべき表示要素である先行表示要素を生成するオペレーティングシステムである第１オペレーティングシステム（１０３，１０３ａ）を、他方のオペレーティングシステムである第２オペレーティングシステム（１０４）よりも先に起動開始させ、先行表示要素の表示が終了した後、第２オペレーティングシステムが生成する表示要素である第２側要素を含んでなる表示コンテンツである次コンテンツ画像の表示が開始される前に、第１オペレーティングシステムが生成する、次コンテンツ画像のうちの第２側要素を除く一部である一部表示要素を表示させておく。